(57)【特許請求の範囲】
【請求項１】
複数の室外機に連結された複数の室内機の動作を制御する中央制御器を包含して構成されるマルチ空気調和機のゾーン番号設定システムであって、
前記室内機のゾーン番号を設定するための開始信号を前記中央制御器から受信することで、前記室内機が前記ゾーン番号を設定するための準備が完了したことを知らせるメッセージを発生し、該発生した前記メッセージをリモートコントローラに伝送し、かつ該リモートコントローラから発生されたキー信号に基づいて該当の室内機のゾーン番号付与準備完了情報を前記中央制御器に伝送する、前記室内機に設けられたマイコンと、
要求によって前記開始信号を前記室内機に伝送し、前記室内機からのゾーン番号付与準備完了情報に基づいて前記室内機に前記ゾーン番号を付与し、該付与された前記ゾーン番号を前記室内機に伝送する、前記中央制御器に設けられた番号付与部と、
該番号付与部から伝送された前記ゾーン番号を前記室内機のゾーン番号として設定する、前記室内機に設けられたゾーン番号設定部と、
前記メッセージ及び前記ゾーン番号を前記リモートコントローラにおいて表示する表示部と、を包含して構成されることを特徴とするマルチ空気調和機のゾーン番号設定システム。
【請求項２】
複数の室外機に連結された複数の室内機を有するマルチ空気調和機のゾーン番号を設定する方法であって、
該当の室内機に前記ゾーン番号を設定するための開始信号を中央制御器において発生する段階と、
該開始信号を受信し、かつリモートコントローラにおいて発生されたキー信号に基づいて前記該当の室内機のゾーン番号付与準備完了情報を前記室内機において発生する段階と、
前記室内機からの前記ゾーン番号付与準備完了情報に基づいて前記中央制御器が前記該当の室内機にゾーン番号を付与し、該付与された前記ゾーン番号を前記中央制御器から前記室内機に伝送する段階と、
該伝送された前記ゾーン番号を前記該当の室内機のゾーン番号として設定する段階と、を有し、
前記キー信号は、前記開始信号に基づいて前記室内機が前記ゾーン番号設定のための準備が完了したことを知らせるメッセージを前記リモートコントローラに伝送した後発生され、前記メッセージ及び前記ゾーン番号を前記リモートコントローラにおいて表示することを特徴とするマルチ空気調和機のゾーン番号設定方法。
【発明の詳細な説明】
【０００１】
【発明の属する技術分野】
本発明は、空気調和機に係るもので、詳しくは、マルチ空気調和機のゾーン番号を設定するシステム及びその設定方法に関するものである。
【０００２】
【従来の技術】
一般に、複数の部屋又は事務室に装着され、複数の室外機に連結された複数の室内機を動作させる装置をマルチ空気調和機と言い、このようなマルチ空気調和機の複数の室内機を制御するために中央制御器が使われる。この時、空気調和機の室内機とは、室内の温度を制御するために室内に装着される一般的な装置を言い、空気調和機の室外機とは、室内機に連結されて室外に装着される一般的な装置を言う。
【０００３】
中央制御器を利用してマルチ空気調和機のゾーン番号を設定する装置の構成においては、図2に示したように、複数の室内機のゾーン番号(ゾーン番号とは、特定部屋又は事務室に位置した室内機を運転又は停止するための番号を言う)を一貫して管理室に位置した中央制御器1に設定するために、各室内機(1〜n）の基板(図示されず)にゾーン番号を設定するためのスイッチ2を装着する。この時、前記スイッチは、1単位又は10単位を表示する。
【０００４】
例えば、第1室内機の基板のゾーン設定スイッチ2を1番(ゾーン番号)に設定すると、1番に設定されたゾーン設定スイッチ2は、中央制御器1の管理スイッチ(図示されず)中、1番スイッチに連結され、第2室内機の基板のゾーン設定スイッチを2番に設定すると、2番に設定されたゾーン設定スイッチは、中央制御器1の各管理スイッチ中、2番スイッチに連結される。従って、互に異なった位置にある室内機のゾーン設定スイッチの番号を前記中央制御器1の管理スイッチのゾーン番号と一致させると、全ての室内機を前記中央制御器1で制御することができる。
【０００５】
【発明が解決しようとする課題】
然るに、このような従来マルチ空気調和機のゾーン番号を設定する装置においては、マルチ空気調和機の複数の室内機にゾーン番号を設定するための複数のスイッチが装着されるために、それらスイッチ装着によって費用が増大するという不都合な点があった。
【０００６】
又、従来のマルチ空気調和機の複数の室内機に一々ゾーン番号を設定しなければならないので、ゾーン番号の設定作業中、エラーが発生する憂いがあるという不都合な点があった。
【０００７】
且つ、従来のマルチ空気調和機のゾーン設定スイッチが各室内機の基板中にあるために、一々室内機の蓋を開けてゾーン番号を設定しなければならないという不都合な点があった。
【０００８】
本発明は、このような従来の課題に鑑みてなされたもので、空気調和機の室内機のゾーン番号設定をリモートコントローラにより容易に遂行し得るマルチ空気調和機のゾーン番号設定システム及びその設定方法を提供することを目的とする。
【０００９】
【課題を解決するための手段】
このような目的を達成するため、本発明に係るマルチ空気調和機のゾーン番号設定システムにおいては、使用者のスイッチ操作により発生したキー信号に基づいて該当の室内機の運転情報を発信するマイコンと、室内機の運転情報に基づいて室内機にゾーン番号を付与し、その付与されたゾーン番号を伝送する番号付与部と、該番号付与部から伝送されたゾーン番号を室内機のゾーン番号に設定するゾーン番号設定部とを包含して構成されることを特徴とする。
【００１０】
又、本発明に係るマルチ空気調和機のゾーン番号設定方法においては、使用者のスイッチ操作により発生したキー信号に基づいて該当の室内機の運転情報を発信する段階と、室内機の運転情報に基づいて室内機にゾーン番号を付与し、その付与されたゾーン番号を伝送する段階と、番号付与部から伝送されたゾーン番号を室内機のゾーン番号に設定する段階とを有することを特徴とする。
【００１１】
【発明の実施の形態】
以下、本発明の実施の形態に対し、図面を用いて説明する。
【００１２】
本発明に係る空気調和機のゾーン番号設定システムにおいては、図１に示したように、ゾーン番号を設定するための開始信号を発信し、室内機の運転情報に基づいてゾーン番号を付与する中央制御器100と、開始信号及びキー信号を受信して運転情報を提供し、中央制御器100から付与されたゾーン番号を自分のゾーン番号に設定する室内機200と、開始信号を受信して運転情報を中央制御器100に提供するために中央制御器100に予め設定された任意の室内機各ゾーン番号の中から、室内機200のゾーン番号に該当するキー信号を発生し、ゾーン番号を表示するリモートコントローラ300とを包含して構成されている。
【００１３】
以下、中央制御器100、室内機200及びリモートコントローラ300の構成に関して説明する。
【００１４】
先ず、中央制御器100は、使用者のボタンを押す動作により、ゾーン番号(ゾーン番号とは、特定の部屋に位置した室内機を運転又は停止するための識別番号である。)を設定するためのスイッチング信号を発生するゾーン設定スイッチ部21と、該ゾーン設定スイッチ部21のスイッチング信号を受信してゾーン番号設定を開始するための開始信号を発生し、該当の室内機の運転情報を受信して該当の室内機にゾーン番号を付与する番号付与部22と、該番号付与部22から発生した開始信号及びゾーン番号を有した制御信号を通信に適当な通信プロトコルに変換して出力する第1通信回路23とを包含して構成される。
【００１５】
又、室内機200は、第1通信回路23から伝送された制御信号を受信し、使用者により発生するリモートコントローラのキー信号を受信する第2通信回路25と、制御信号に包含された開始信号を抽出した後、該当の室内機がゾーン番号設定のための準備が完了したことを知らせるメッセージを第2通信回路25を経由して出力し、キー信号に基づいて該当の室内機200の運転情報を第2及び第1通信回路25、23を経由して番号付与部22に伝送し、運転情報に基づいて番号付与部22から付与されたゾーン番号を第1及び第2通信回路23、25を経由して受信する第1マイコン24と、運転情報に基づいて番号付与部22から付与されたゾーン番号を格納するメモリ27と、番号付与部22から付与されたゾーン番号を該当の室内機のゾーン番号に設定するゾーン番号設定部26とを包含して構成される。ここで、運転情報とは、第1マイコン24で該当の室内機のリモートコントローラ300のキー信号を認識するための情報のことで、ゾーン番号の付与を受ける準備が完了されたことを知らせる情報、すなわちゾーン番号付与準備完了情報である。
【００１６】
又、リモートコントローラ300は、第2通信回路25を経由してメッセージ及びゾーン番号を受信する第3通信回路28と、中央制御器100の任意のゾーン番号に該当する室内機200の運転キー信号(キー信号)を発生する運転キー部30と、メッセージを受信し、運転キー信号を第3通信回路28を経由して第1マイコン24に出力する第2マイコン29と、ゾーン番号及びメッセージを表示する表示部31とを包含して構成される。この時、開始信号及びゾーン番号は、室外機(図示されず)内に装着された通信回路(第1通信回路23と同様)を通って伝送することができる。
【００１７】
以下、マルチ空気調和機のゾーン番号設定システム及びその設定方法に対して説明する。
【００１８】
先ず、中央制御器100は、使用者の要求によって室内機200のゾーン番号設定のための開始信号を第1通信回路23及び第2通信回路25を経由して各室内機200に伝送する。
【００１９】
例えば、使用者がゾーン設定スイッチ部21を動作させると、ゾーン設定スイッチ部21は、スイッチング信号を発生し、該発生したスイッチング信号は番号付与部22に印加する。次いで、番号付与部22は、スイッチング信号を受信してゾーン番号を設定するための開始信号を第1通信回路23を経由して該当の室内機200の第2通信回路25に伝送する。この時、第1及び第2通信回路23、25は、開始信号を一般的な通信のためのプロトコルに変換して伝送する。
【００２０】
次いで、室内機200の第2通信回路25は、開始信号を受信し、該受信された開始信号を第1マイコン24に伝送する。
【００２１】
次いで、第1マイコン24は、開始信号に基づいてゾーン番号を設定するための準備が完了したことを意味するメッセージを発生し、該発生したメッセージを第2及び第3通信回路25、28を経由してリモートコントローラ300の第2マイコン29に伝送する。
【００２２】
次いで、第2マイコン29は、メッセージを表示部31に伝送し、該表示部31は、メッセージを表示して使用者に知らせる。
【００２３】
次いで、リモートコントローラ300の運転キー部30は、使用者がメッセージを確認した後、中央制御器100に設定された任意の室内機のゾーン番号に該当する運転キー部30の運転キーを押すと、キー信号を発生し、該発生したキー信号を第2マイコン29に伝送する。
【００２４】
次いで、第2マイコン29は発生したキー信号を第2及び第3通信回路25、28を経由して該当の室内機200の第1マイコン24に伝送する。
【００２５】
次いで、第1マイコン24は、キー信号を受信した後、室内機200の運転情報を第2通信回路25を経由して中央制御器100の番号付与部22に伝送する。
【００２６】
次いで、中央制御器100の番号付与部22は、室内機200の運転情報を受信して室内機200にゾーン番号を付与し、該付与されたゾーン番号を第1及び第2通信回路23、25を経由して室内機200の第1マイコン24に伝送する。ここで、第1及び第2通信回路23、25は、運転情報及びゾーン番号を通信規約に適合するように変換して送信/受信する。
【００２７】
次いで、室内機200のゾーン番号設定部26は、第1マイコン24の制御信号によって第1マイコン24に伝送されたゾーン番号を室内機200のゾーン番号に設定する。この時、メモリ27は、第1マイコン24の制御信号によって設定されたゾーン番号を格納する。ここで、メモリ27は、EEPROMを使用することが好ましい。
【００２８】
又、第1マイコン24は、室内機200のゾーン番号を第2及び第3通信回路25、28を経由してリモートコントローラ300の第2マイコン29に伝送すると、第2マイコン29は、ゾーン番号を表示部31に出力する。
【００２９】
次いで、表示部31は、第2マイコン29に出力された室内機200のゾーン番号を表示することで、使用者に室内機200のゾーン番号を知らせる。
【００３０】
【発明の効果】
以上説明したように、本発明に係るマルチ空気調和機のゾーン番号設定システム及びその方法においては、複数の室内機に対するゾーン番号設定を手動で行うことなく、リモートコントローラにより容易に遂行し得るという効果がある。
【００３１】
又、本発明に係るマルチ空気調和機のゾーン番号設定システム及びその方法においては、前記中央制御器に複数の室外機に連結された複数の室内機のゾーン番号を設定する場合、各室内機に一々番号を設定するためのスイッチを必要としないために、スイッチの装着による費用を節減し得るという効果がある。
【００３２】
又、本発明に係るマルチ空気調和機のゾーン番号設定システム及びその方法においては、リモートコントローラにより室内機のゾーン番号設定を容易に遂行することで、ゾーン番号設定に対するエラーの発生率を低減し得るという効果がある。
【００３３】
且つ、本発明に係るマルチ空気調和機のゾーン番号設定システム及びその方法においては、従来のように、各室内機の基板中に装着されたスイッチを動作させて室内機のゾーン番号を設定することなく、リモートコントローラを利用して室内機のゾーン番号を容易に設定するため、一々室内機の蓋を開けてゾーン番号を設定しなければならなかったという不便な問題点を解決し得るという効果がある。
【図面の簡単な説明】
【図１】本発明に係るマルチ空気調和機のゾーン番号設定システムを示したブロック図である。
【図２】中央制御器を利用してマルチ空気調和機のゾーン番号を設定する装置の従来例の構成を示した概略図である。
【符号の説明】
21…ゾーン設定スイッチ部
22…番号付与部
23…第1通信回路
24…第1マイコン
25…第2通信回路
26…ゾーン番号設定部
27…メモリ
28…第3通信回路
29…第2マイコン
30…運転キー部
31…表示部
100…中央制御器
200…室内機
300…リモートコントローラ
【図１】
0003822558.tif 000002
【図２】
0003822558.tif 000003